(57)【要約】【課題】催事の実施中においても、その効果の状況をリアルタイムに把握できるようにすること。【解決手段】管理装置１２０は、催事対象者となる条件を設定するための催事対象条件設定手段１２７にて設定された催事対象条件を記憶する催事対象条件記憶手段１２５と、遊技者特定情報送信手段３３４から送信されてきた遊技者特定情報と遊技者関連情報記憶手段１２５の記憶情報に基づいて、当該遊技者が前記催事対象条件記憶手段１２５に記憶されている催事対象条件を満たしている催事対象者であるか否かを判定する催事対象者判定手段１２２と、該判定結果と稼働情報送信手段３３４から送信されてきた稼働情報とに基づいて、現在遊技中の催事対象者数と催事非対象者数の比率を特定可能な情報を集計および／または算出する集計・算出手段１２２と、該集計および／または算出結果を出力する出力手段１２７と、を備える。【選択図】    図９
2004222856.tif 000002
【特許請求の範囲】
【請求項１】
遊技者を個別に特定可能な遊技者特定情報に対応付けて該遊技者に関する遊技者関連情報が記憶された遊技者関連情報記憶手段を有する管理装置と、
遊技機に対応して設けられ、前記遊技者特定情報が記録された記録媒体を受付けて該記録情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、
を備える遊技用装置と、
から成る遊技用システムにおいて、
前記管理装置は、催事対象者となる条件を設定するための催事対象条件設定手段と、該催事対象条件設定手段にて設定された催事対象条件を記憶する催事対象条件記憶手段と、
前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、
該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、
該集計・算出手段による集計および／または算出結果を出力する出力手段と、
を備えることを特徴とする遊技用システム。
【請求項２】
前記管理装置は、前記遊技者関連情報記憶手段に記憶されている遊技者特定情報の遊技者を会員遊技者と判定する会員遊技者判定手段を備え、
前記集計・算出手段は、前記会員遊技者判定手段の判定結果に基づいて、前記催事非対象者に占める会員遊技者数と非会員遊技者数の比率を特定可能な情報を集計および／または算出する請求項１に記載の遊技用システム。
【請求項３】
前記遊技用装置は、該遊技用装置を個別に特定可能な識別情報を送信するための識別情報送信手段を備え、
前記管理装置は、各遊技用装置の前記識別情報に対応付けて当該遊技用装置が対応する遊技機の機種を特定可能な情報を記憶するための遊技用装置情報記憶手段を備え、
前記集計・算出手段は、前記識別情報送信手段から送信されてきた識別情報と前記遊技用装置情報記憶手段の記憶情報とから特定される各遊技者が遊技中の遊技機の機種に基づいて、各機種毎に催事対象者数を集計する請求項１または２に記載の遊技用システム。
【請求項４】
前記集計・算出手段は、前記識別情報送信手段から送信されてきた識別情報と前記遊技用装置情報記憶手段の記憶情報とから特定される各遊技者が遊技中の遊技機の機種に基づいて、各機種毎に催事対象者数と催事非対象者数の比率を特定可能な情報を集計および／または算出する請求項３に記載の遊技用システム。
【請求項５】
前記出力手段は、遊技場内に設置された遊技機の配置状況を表示するとともに、該配置画面上に、各遊技機が非稼働中であるか、催事対象者が遊技中であるか、催事非対象者が遊技中であるかを識別可能に表示する請求項１〜４のいずれかに記載の遊技用システム。
【請求項６】
前記管理装置は、前記集計・算出手段にて集計および／または算出された催事対象者数と催事非対象者数との比率を特定可能な情報を所定時間毎に記憶する比率推移記憶手段を備え、
前記出力手段は、前記比率推移記憶手段に記憶された所定時間毎の比率を特定可能な情報に基づく比率推移状況を出力する請求項１〜５のいずれかに記載の遊技用システム。
【発明の詳細な説明】
【０００１】
【発明の属する技術の分野】
本発明は、遊技場において実施される催事（イベント）の対象条件に合致した遊技者と、催事（イベント）の対象条件に合致しない遊技者との存在状況を、リアルタイムに把握することのできる遊技用システムに関する。
【０００２】
【従来の技術】
遊技場においては、遊技客へのサービス向上とともに、売上向上を目的として、各種の催事（イベント）が開催されている。これら催事を開催した場合には、その効果、すなわち催事の開催によりどの程度の集客効果が得られたかを把握する必要があるため、催事対象者の来店状況を集計し、集計結果を各催事毎に表示出力することで、催事効果を把握できるようにしたものがある。（特許文献１）。
【０００３】
【特許文献１】
特開２００１−３０００９９号公報
【０００４】
【発明が解決しようとする課題】
しかしながら、前記した特許文献１の遊技用システムにあっては、催事の実施後において催事効果を把握することができるものの、催事の実施中においても、その効果の状況をリアルタイムに把握したいという遊技場の要望があるが、前記した特許文献１の遊技用システムでは、催事の実施中における催事効果をリアルタイムに把握することができず、前記した遊技場の要望に答えられないという問題があった。
【０００５】
よって、本発明は上記した問題点に着目してなされたもので、催事の実施中においても、その効果の状況をリアルタイムに把握することのできる遊技用システムを提供することを目的としている。
【０００６】
【課題を解決するための手段】
前記した問題を解決するために、本発明の遊技用システムは、遊技者を個別に特定可能な遊技者特定情報に対応付けて該遊技者に関する遊技者関連情報が記憶された遊技者関連情報記憶手段を有する管理装置と、
遊技機に対応して設けられ、前記遊技者特定情報が記録された記録媒体を受付けて該記録情報の読み出しを行う読み出し手段と、該読み出し手段により読み出された前記遊技者特定情報を前記管理装置に送信する遊技者特定情報送信手段と、対応する前記遊技機において遊技者が遊技中か否かを特定可能な稼働情報を送信する稼働情報送信手段と、
を備える遊技用装置と、
から成る遊技用システムにおいて、
前記管理装置は、催事対象者となる条件を設定するための催事対象条件設定手段と、該催事対象条件設定手段にて設定された催事対象条件を記憶する催事対象条件記憶手段と、
前記遊技者特定情報送信手段から送信されてきた前記遊技者特定情報と前記遊技者関連情報記憶手段の記憶情報に基づいて、当該遊技者が前記催事対象条件記憶手段に記憶されている催事対象条件を満たしている催事対象者であるか否かを判定する催事対象者判定手段と、
該催事対象者判定手段の判定結果と前記稼働情報送信手段から送信されてきた稼働情報とに基づいて、現在遊技中の催事対象者数と催事非対象者数の比率を特定可能な情報を集計および／または算出する集計・算出手段と、
該集計・算出手段による集計および／または算出結果を出力する出力手段と、
を備えることを特徴としている。
この特徴によれば、催事の開催中にあっても、現在遊技中の催事対象者数と催事非対象者数との比率が、前記集計・算出手段により集計および／または算出されて前記出力手段にて出力されるようになるため、催事の効果として、現在遊技中の催事対象者数と催事非対象者数との比率をリアルタイムに把握することができ、例えば、催事対象者の割合が低いような場合には、追加イベントの実施を検討する等の迅速な対応が可能となる。
【０００７】
本発明の遊技用システムの前記管理装置は、前記遊技者関連情報記憶手段に記憶されている遊技者特定情報の遊技者を会員遊技者と判定する会員遊技者判定手段を備え、
前記集計・算出手段は、前記会員遊技者判定手段の判定結果に基づいて、前記催事非対象者に占める会員遊技者数と非会員遊技者数の比率を特定可能な情報を集計および／または算出することが好ましい。
このようにすれば、催事非対象者に占める会員遊技者数と非会員遊技者数との比率をリアルタイムに把握できる。
【０００８】
本発明の遊技用システムの前記遊技用装置は、該遊技用装置を個別に特定可能な識別情報を送信するための識別情報送信手段を備え、
前記管理装置は、各遊技用装置の前記識別情報に対応付けて当該遊技用装置が対応する遊技機の機種を特定可能な情報を記憶するための遊技用装置情報記憶手段を備え、
前記集計・算出手段は、前記識別情報送信手段から送信されてきた識別情報と前記遊技用装置情報記憶手段の記憶情報とから特定される各遊技者が遊技中の遊技機の機種に基づいて、各機種毎に催事対象者数を集計することが好ましい。
このようにすれば、機種毎の催事対象者数をリアルタイムに把握することができる。
【０００９】
本発明の遊技用システムの前記集計・算出手段は、前記識別情報送信手段から送信されてきた識別情報と前記遊技用装置情報記憶手段の記憶情報とから特定される各遊技者が遊技中の遊技機の機種に基づいて、各機種毎に催事対象者数と催事非対象者数の比率を特定可能な情報を集計および／または算出することが好ましい。
このようにすれば、機種毎の催事対象者数と催事非対象者数との比率をリアルタイムに把握することができる。
【００１０】
本発明の遊技用システムの前記出力手段は、遊技場内に設置された遊技機の配置状況を表示するとともに、該配置画面上に、各遊技機が非稼働中であるか、催事対象者が遊技中であるか、催事非対象者が遊技中であるかを識別可能に表示することが好ましい。
このようにすれば、遊技場内における催事対象者、催事非対象者の存在状況を一見して把握することができる。
【００１１】
本発明の遊技用システムの前記管理装置は、前記集計・算出手段にて集計および／または算出された催事対象者数と催事非対象者数との比率を特定可能な情報を所定時間毎に記憶する比率推移記憶手段を備え、
前記出力手段は、前記比率推移記憶手段に記憶された所定時間毎の比率を特定可能な情報に基づく比率推移状況を出力することが好ましい。
このようにすれば、現時点での催事対象者と催事非対象者との比率のみならず、過去からの催事対象者と催事非対象者との比率の推移状況を簡便に把握することができる。
【００１２】
【発明の実施の形態】
図１は本発明が適用された本実施例の遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、カードユニット３にて使用される後述の会員カード（記録媒体）並びにビジターカードの管理等を行うシステムコントローラ１００と、会員カードを所有する会員遊技客の情報や催事（イベント）に関する情報等を管理する管理装置としての会員管理コンピュータ１２０と、から主に構成されており、システムコントローラ１００並びに会員管理コンピュータ１２０とカードユニット３とはハブ（ＨＵＢ）８’（図３参照）並びに通信ケーブル８を介してデータ通信可能に接続されているとともに、システムコントローラ１００と会員管理コンピュータ１２０とは通信ケーブル１０を介してデータ通信可能に接続されている。また、システムコントローラ１００は、通信回線網１１を介して図示しないカード管理会社に設置された管理サーバとデータ通信可能に接続されている。
【００１３】
初めに、本実施例にて用いた記録媒体について説明すると、本実施例では予め会員登録をした会員遊技客に対して発行される会員カードと、カードユニット３に装着されているビジターカードと、の２種類のＩＣカードを記録媒体として用いている。
【００１４】
まず、本発明の記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや遊技者特定情報としての会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記録される。
【００１５】
次いで、ビジターカードについて説明すると、このビジターカードも会員カードと同様に非接触式ＩＣカードが適用されており、その内部メモリには、各ビジターカードを個別に識別可能なカードＩＤ等が書き換え不可に記録されているとともに、前述したカードリーダライタ３２７とのデータ通信により、パチンコ玉の貸出に使用される度数や装着されているカードユニット３の装置ＩＤ等の情報が書き換え可能に記録される。
【００１６】
次いで、本実施例の遊技用装置であるカードユニット３について説明すると、このカードユニット３は、前述のように遊技島に並設される遊技機としてのパチンコ機２に１対１に対応して設置されている。
【００１７】
カードユニット３の前面には、図２に示すように、各種表示部や操作ボタン、紙幣挿入口３０２、硬貨投入口３０３、硬貨返却口３１３、会員カード挿入口３１９、ビジターカード装着口３１８が設けられている。
【００１８】
カードユニット３の前面に設けられる表示部のうち、多機能表示部３０１は、内部に設けられた多機能ＬＥＤ３０１ａの発光態様によりカードユニット３の動作状況等が報知される。本実施例では、多機能表示部３０１が、消灯、青色点灯、青色点滅、赤色点灯、赤色点滅、緑色点灯、緑色点滅、紫色点灯、紫色点滅、水色点灯、水色点滅、黄色点灯、黄色点滅、白色点灯、白色点滅からなる、合計７色、１５態様（消灯含む）の発光態様により各状況が報知される。
【００１９】
また、カードユニット３の前面に設けられた表示部のうち、変更可能表示部３０５は、後述する貸出処理における貸出単位（１回の貸出操作で使用される度数の大きさ）の変更が可能である場合に、その内部に設けられた変更可能ＬＥＤ３０５ａ（図３参照）が点灯する。貸出単位表示部３０７は、前述した貸出単位が内蔵された貸出単位表示器３０７ａ（図３参照）により表示される表示部であり、度数表示部３０９は、会員カードやビジターカードから読み出された度数やエラーコード等が内蔵された度数表示器３０９ａ（図３参照）により表示される表示部である。方向指示表示部３１１は、対応する遊技機の連結方向を示す表示部であり、遊技機と接続されている場合に内部に設けられた方向指示ＬＥＤ３１１ａ（図３参照）が点灯する。挿入中表示部３１２は、会員カードが挿入中である場合に内部に設けられた挿入中ＬＥＤ３１２ａ（図３参照）が点灯する。会員カード用表示部３１４は、受付中の会員カードから特定される貯蓄玉数に基づく再プレイ可能回数等の情報が内蔵された会員カード用表示器３１４ａ（図３参照）により表示される表示部である。
【００２０】
また、カードユニット３の前面に設けられたボタンのうち、硬貨返却ボタン３０４は、硬貨投入口３０３から投入された硬貨が詰まった場合等において、硬貨を返却させる際に押圧するボタンである。貸出単位変更ボタン３０６は、貸出単位を変更する際に押圧するボタンである。端数ボタン３０８は、度数表示部３０９の表示内容を変更表示させる際に押圧するボタンである。テンキー３１５は、暗証番号等の入力を行う際に操作するキーである。プレイ選択ボタン３１６は、度数を用いて遊技を実施するか、若しくは貯蓄玉数を用いて遊技を実施するかを選択する際に押圧するボタンである。エンターボタン３１７は、暗証番号を決定する場合や貯蓄玉数の払戻を実施する際に押圧するボタンである。
【００２１】
また、会員カード挿入口３１９とビジターカード装着口３１８とは、遊技者から見て左右に並設配置されている。会員カード挿入口３１９は、内蔵されるカードリーダライタ３２７（図３参照）の会員カードスロット（図示略）に連設されており、この会員カード挿入口３１９を介して会員カードを会員カードスロットに挿入可能とされている。また、ビジターカード装着口３１８は、カードリーダライタ３２７のビジターカード収容室（図示略）に連設されており、このビジターカード装着口３１８を介してビジターカードをビジターカード収容室に装着可能とされている。
【００２２】
また、ビジターカード収容室にビジターカードが装着された際には、この装着されたビジターカードの先端がビジターカード装着口３１８から突出する態様にて装着されるようになる。また、このビジターカード装着口３１８の前面には、透明カバー部材３１８’が取付けられるようになっており、これによりカードリーダライタ３２７に装着されたビジターカードが、透明カバー部材３１８’を通して視認できるとともに、透明カバー部材３１８’により装着されたビジターカードの抜き取りができない状態とされる。
【００２３】
図３は、カードユニット３の構成を示すブロック図である。カードユニット３は、読み出し手段としてのカードリーダライタ３２７と、制御ユニット３２８と、から主に構成されている。
【００２４】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤや度数の認証等がシステムコントローラ１００との間で行われる。
【００２５】
制御ユニット３２８には、前述した各種ＬＥＤや表示器、スイッチ等の各種電気部品や紙幣識別ユニット３２２、硬貨識別ユニット３２４、が接続されている。
【００２６】
制御ユニット３２８に接続された各種スイッチのうち、貸出単位変更スイッチ３０６ａは、貸出単位変更ボタン３０６の操作を検知するスイッチであり、端数スイッチ３０８ａは、端数ボタン３０８の操作を検知するスイッチであり、テンキースイッチ３１５ａは、テンキーの操作を検知するスイッチであり、プレイ選択スイッチ３１６ａは、プレイ選択ボタン３１６の操作を検知するスイッチであり、エンタースイッチ３１７ａは、エンターボタン３１７の操作を検知するスイッチである。
【００２７】
また、制御ユニット３２８には、特に図示しないが、接続されたパチンコ機２に設けられる貸出ボタン（パチンコ玉の貸出を行う際に操作されるボタン）や返却ボタン（受付け中の会員カードを返却させる際に操作されるボタン）の操作を検知する貸出スイッチや返却スイッチが接続されている。
【００２８】
制御ユニット３２８に接続された紙幣識別ユニット３２２は、紙幣挿入口３０２に投入された紙幣を取り込んでその真贋や紙幣種別の識別を行う。また、硬貨識別ユニット３２４は、硬貨投入口３０３より投入された硬貨の真贋並びに硬貨種別の識別を行う。
【００２９】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００３０】
また、制御ユニット３２８は、対応するパチンコ機２と接続されており、貸出処理に伴う各種の信号の授受が可能に接続されているとともに、制御ユニット３２８には、対応するパチンコ機２からの外部出力信号線が接続可能な信号入力部３３２が接続されており、この信号入力部３３２を介してパチンコ機２から出力される始動信号や、通常の大当り時に出力される大当り信号１、次回の大当りまでの間、大当り確率が向上する特典を有する確率変動大当り時に出力される大当り信号２や、パチンコ玉の打込操作が検出されている際に常時出力される稼働信号が制御ユニット３２８に入力されるようになっている。
【００３１】
また、制御ユニット３２８は、前述したカードリーダライタ３２７とデータ通信可能に接続されており、各種コマンドの送受が実施可能とされているとともに、通信部３３４並びにＨＵＢ８’を介して会員管理コンピュータ１２０とデータ通信可能に接続されており、該会員管理コンピュータ１２０との間において各種情報の送受が実施可能とされている。
【００３２】
本実施例のカードユニット３は、会員カード挿入口３１９に挿入された会員カードの使用の可／不可を判別する受付処理と、この受付処理において受付けられた会員カードより読み出された度数を使用して、対応するパチンコ機２に対してパチンコ玉の貸出を実施させる貸出処理と、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理と、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１８に装着されているビジターカードに記録した後、この記録した度数の全てを使用して対応するパチンコ機２に対してパチンコ玉の貸出を実施させる発行貸出処理、対応するパチンコ機２に対して以前の遊技にて貯蓄した貯蓄玉数のうちの所定数のパチンコ玉の払い戻しを実施させる払戻処理と、を行うようになっている。
【００３３】
次いで、本実施例における管理装置としての会員管理コンピュータ１２０について説明すると、該会員管理コンピュータ１２０は、図４に示すように、コンピュータ内部にてデータの送受を行うデータバス１２１に、この会員管理コンピュータ１２０が実施する各種処理（本発明における催事対象者判定手段、集計・算出手段として機能する処理を含む）を行うＣＰＵ１２２、ワークメモリ等として使用されるＲＡＭ１２３、時刻情報やカレンダ情報を出力するＲＴＣ１２４、磁気ディスクや光磁気ディスクから成る記憶装置１２５、キーボードやマウス等の入力装置１２６、各種情報を表示出力する表示装置１２７、各種情報をプリント出力するプリンタ１２８、システムコントローラ１００とのデータ通信を行う第１通信部１２９、カードユニット３とのデータ通信を行う第２通信部１３０、が接続された通常のコンピュータである。
【００３４】
また、前記記憶装置１２５には、会員管理コンピュータ１２０のＣＰＵ１２２が行う各種処理（本発明における催事対象者判定手段、集計・算出手段として機能する処理を含む）を実行するための処理プログラムに加えて、会員情報テーブル（図５（ａ）参照）と、イベントテーブル（図５（ｂ）参照）と、台データベース（図６参照）と、イベント対象者とイベント非対象者との比率の推移データが時系列に登録される比率推移テーブル（図７参照）とが記憶されている。
【００３５】
会員情報テーブルには、図５（ａ）に示すように、会員カードの会員ＩＤ毎に、当該会員カードを所有する遊技者の貯蓄玉数と、本人確認のための暗証番号と、来店回数と、来店ポイントと、最後の来店日と、これら来店回数や来店日等に基づく会員ランクと、当該会員カードを所有する遊技者の氏名（名字並びに名前）、性別、年齢、誕生日、職業、住所からなる会員遊技客の属性情報と、が登録されている。
【００３６】
イベントテーブルには、図５（ｂ）に示すように、各イベント毎に付与されたイベントＮｏ．（最初の２桁は該イベントの実施される西暦年の下位２桁を示し、次の２桁は実施月を示し、ハイフン以下は、その月に実施されたイベントに順次付与されたシリアル番号である）毎に、イベント名と、その実施期間と、実施時間と、当該イベントの実施期間中であるか否か、すなわち当該イベントが本日実施されるイベントであるか否かを示す実施期間中フラグ（当該イベントの実施期間中である場合には「Ｙｅｓ」が登録され、当該イベントが有効とされるとともに、当該イベントの実施期間中ではない場合には「Ｎｏ（完了）」或いは「Ｎｏ（未実施）」が登録されて当該イベントが無効とされる）と、対象条件（全員、女性会員、来店回数５０回以上の会員、来店Ｐｔ．５０Ｐｔ．以上等）と、対象となるパチンコ機２の機種（全機種、全ＣＲ機、機種ＸＸや機種ＹＹ等）と、イベント対象者に対する特典（無制限、粗品進呈、台移動可等）とからなるイベントデータが登録されている。
【００３７】
また、前記台データベースには、図６に示すように、パチンコ機２に固有に付与された台番号に対応付けて、各パチンコ機２の機種と、該パチンコ機２の稼働状況と、該パチンコ機２に対応して設けられているカードユニット３の装置ＩＤと、該カードユニット３に受付け中の会員カードの会員ＩＤと、前回の大当りからの始動回数と、その日に営業が開始されてからのパチンコ機２における総始動回数と、営業が開始されてから現時点までの大当り回数と、大当り回数のうち確率変動大当りの回数とが登録されている。
【００３８】
また、比率推移テーブルには、その所定時間間隔（本実施例では１０分）の各時間において、前記台データベースの受付け会員ＩＤに登録されている会員の内、当該営業日において実施されているイベントの対象条件に合致しているイベント対象者数と、イベント非対象者数とが全体（全機種）と、機種ＸＸや機種ＹＹ…のように、各機種毎に集計、登録されるようになっているとともに、イベント非対象者数においては、会員遊技者であってイベント非対象者である人数と、会員遊技者ではないビジターであってイベント非対象者である人数とが集計、登録されるようになっており、これら所定時間間隔毎のデータに基づいて、図１１〜図１３に示すように、イベント対象者数やイベント非対象者数、並びに比率の推移グラフが表示されるようになっている。
【００３９】
尚、本実施例では、前記比率推移テーブルに登録される所定時間間隔を１０分としているが、本発明はこれに限定されるものではなく、これらの所定時間間隔は適宜に選択すれば良いとともに、状況に応じて変更可能に設定できるようにしても良い。
【００４０】
本実施例の会員管理コンピュータ１２０の表示装置１２７には、前記会員情報テーブルへの新規会員情報の登録や既に登録されている会員情報の変更等を実施するための会員登録／変更画面（図示略）や、前記イベントテーブル（図５（ｂ））に登録されるイベントに関するイベントデータの登録または変更を実施するためのイベント設定画面（図８参照）が表示可能とされており、これら各設定画面を表示して必要事項の入力または変更を行うことで、前記各テーブルの登録データを更新することが可能とされている。
【００４１】
本実施例のイベント設定画面においては、図８に示すように、イベントテーブルに現在登録されているイベントデータが各イベントＮｏ．毎に表示されるイベントテーブル表示エリアと、既存のイベントデータの変更、新規に登録するイベントデータの設定を実施可能とされたイベント設定エリアと、が設けられている。このイベント設定画面において「新規作成」を入力し、イベント設定エリアにおいて、新規に登録するイベント名と、当該イベントの実施期間と、実施時間と、イベント対象となる遊技客の対象条件と、イベント対象となる対象機種と、当該イベントにより提供される特典と、特典付与判定の実施時と、からなるイベントデータを入力した後、「登録」を入力することで、新規イベントＮｏ．（最初の２桁は該イベントの実施される西暦年の下位２桁を示し、次の２桁は実施月を示し、ハイフン以下は、その月に実施されたイベントに順次付与されたシリアル番号である）が発行されるとともに、該イベントＮｏ．に対応して、これらイベント設定エリアに入力された各項目のイベントデータがイベントテーブルに登録されるとともに、イベントテーブル表示エリアに、登録されたイベントデータが追加表示されるようになっている。
【００４２】
また、イベントテーブル表示エリアに表示された任意のイベントＮｏ．を指定し、「変更」を入力するとイベント設定エリアには既に登録されているイベントデータが表示され、イベント設定エリアにおいて、イベントデータを変更入力した後、「登録」を入力することで、イベントテーブルにおいて登録されている指定されたイベントＮｏ．のイベントデータが、変更入力されたイベントデータに更新されるとともに、イベントテーブル表示エリアに表示されている当該イベントＮｏ．のイベントデータも更新されるようになっている。
【００４３】
また、イベントテーブル表示エリアに表示された任意のイベントＮｏ．を指定し、「期間変更」を入力するとイベント設定エリアには既に登録されているイベントデータのうち実施期間のみが変更可能に表示され、イベント設定エリアにおいて、実施期間を変更入力した後、「登録」を入力することで、イベントテーブルにおいて登録されている指定されたイベントＮｏ．のイベントデータのうち実施期間が変更入力された実施期間に更新されるとともに、イベントテーブル表示エリアに表示されている当該イベントＮｏ．のイベントデータも更新されるようになっている。
【００４４】
また、イベントテーブル表示エリアに表示された任意のイベントＮｏ．を選択指定し、「削除」を入力することで、イベントテーブルにおいて登録されている指定されたイベントＮｏ．並びに当該イベントＮｏ．のイベントデータが削除されるとともに、イベントテーブル表示エリアに表示されている当該イベントＮｏ．並びに当該イベントＮｏ．のイベントデータが削除されるようになっている。
【００４５】
図１４は、カードユニット３から会員管理コンピュータ１２０に対して送信される情報を示す図である。
【００４６】
図１４に示すように、カードユニット３は、会員カードを受付けた際に、受付けた会員カードから読み出した会員ＩＤ、並びに該カードユニット３を個々に識別可能に付与された装置ＩＤを含む会員カード受付通知を会員管理コンピュータ１２０に対して、前記通信部３３４から送信する。また、会員カードが返却された際に、返却された会員カードの会員ＩＤ並びに装置ＩＤを含む会員カード返却通知を会員管理コンピュータ１２０に対して送信する。この会員カード受付通知の受信に基づいて会員管理コンピュータ１２０は、台データベースの該受信した会員カード受付通知に含まれる装置ＩＤに対応する受付け会員ＩＤに、受信した会員カード受付通知に含まれる会員ＩＤを登録するとともに、会員カード返却通知の受信に基づいて、受信した会員カード返却通知に含まれる装置ＩＤに対応する受付け会員ＩＤに登録されている会員ＩＤを削除することで、カードユニット３に会員カードが受付け中の間において、台データベースの受付け会員ＩＤに、各装置ＩＤのカードユニット３に受付け中の会員カードの会員ＩＤが登録されるようになっている。
【００４７】
また、対応するパチンコ機２からの稼働信号を検出した際に、装置ＩＤを含む稼働通知を会員管理コンピュータ１２０に対して送信し、対応するパチンコ機２からの稼働信号が非検出状態となった際に、装置ＩＤを含む非稼働通知を会員管理コンピュータ１２０に対して送信することで、会員管理コンピュータ１２０は、前記台データベースにおける各カードユニット３が対応するパチンコ機２の稼働状況を更新するようになっている。
【００４８】
また、対応するパチンコ機２からの大当り１信号を検出した際に、装置ＩＤを含む大当り発生通知を会員管理コンピュータ１２０に対して送信し、対応するパチンコ機２からの大当り１信号が非検出状態となった際に、装置ＩＤを含む大当り終了通知を会員管理コンピュータ１２０に対して送信することで、会員管理コンピュータ１２０がパチンコ機２にて大当りが発生したことともに、大当り状態が終了したことを把握できるようになっており、前記大当り発生通知に基づいて、前記台データベースの大当り回数に１が加算更新される。
【００４９】
また、対応するパチンコ機２からの大当り２信号を検出した際に、装置ＩＤを含む確変大当り発生通知を会員管理コンピュータ１２０に対して送信し、対応するパチンコ機２からの大当り１信号が非検出状態となった際に、装置ＩＤを含む確変大当り終了通知を会員管理コンピュータ１２０に対して送信することで、会員管理コンピュータ１２０がパチンコ機２にて確変大当りが発生したことともに、確変大当り状態が終了したことを把握できるようになっており、前記確変大当り発生通知に基づいて、前記台データベースの確変回数に１が加算更新される。
【００５０】
また、対応するパチンコ機２からの始動信号を検出した際には、該始動回数に１を加算し、該始動回数を所定時間間隔毎に、装置ＩＤとともに会員管理コンピュータ１２０に対して送信することで、前記台データベースの総始動回数や大当間始動回数が更新される。
【００５１】
次いで、図８において設定される各イベントの実施状況表示を図９に基づいて説明すると、図９には、会員管理コンピュータ１２０に接続されている表示装置１２７に、遊技場のある時点におけるイベント実施状況を示しており、画面右側の前記サブメニュー表示域５０３には、全遊技者数と、イベント対象者の数と、会員遊技者でイベント非対象者の数と、ビジターでイベント非対象者の数とがＣＰＵ１２２により集計されて表示されている。
【００５２】
このサブメニュー表示域５０３に表示される全遊技者数は、前記カードユニット３から送信されてくる稼働通知並びに非稼働通知により更新される台データベースの稼働状況に基づいて、現在稼働中のパチンコ機２の数が、ＣＰＵ１２２により全遊技者数として集計されて表示される。
【００５３】
また、サブメニュー表示域５０３に表示されるイベント対象者の数は、前記台データベースの稼働状況に「稼働中」が登録されている現在稼働中のパチンコ機２の内、受付け会員ＩＤが登録されていて、該受付け会員ＩＤに登録されている会員ＩＤと前記会員情報テーブル（図５（ａ））の登録内容とから、当該営業日において実施中のイベントの対象条件に、該会員遊技者が合致するか否かをＣＰＵ１２２が判定し、イベントの対象条件に合致する会員遊技者の人数がイベント対象者の数として集計されて表示される。
【００５４】
また、サブメニュー表示域５０３に表示されるイベント非対象者（会員）の数は、前記台データベースの稼働状況に「稼働中」が登録されている現在稼働中のパチンコ機２の内、受付け会員ＩＤが登録されているパチンコ機２の数を全会員遊技者数としてＣＰＵ１２２が集計し（つまりＣＰＵ１２２は、会員情報データベースに記憶されている会員ＩＤが受付け会員ＩＤとして登録されているパチンコ機２で遊技中の遊技者を会員遊技者と判定し、会員遊技者数を集計している）、該集計した全会員遊技者数から前記イベント対象者の数を差し引いた数が会員遊技者でイベント非対象者の数として算出されて表示される。
【００５５】
また、サブメニュー表示域５０３に表示されるイベント非対象者（ビジター）の数は、前記全遊技者数から前記にて集計した全会員遊技者数を差し引いた数がイベント非対象者（ビジター）として算出されて表示される。
【００５６】
次いで、画面中央には、遊技場内の各パチンコ機２が島毎に設けられている様子がレイアウト表示されており、島内に表示されている各セル１つ１つが各パチンコ機２に対応するようになっている。
【００５７】
また、各セルは、セルが対応するパチンコ機２において遊技をしている遊技者がイベント対象者である場合には、前記サブメニュー表示域５０３にイベント対象者に対応して表示されている表示色にて表示され、セルが対応するパチンコ機２において遊技をしている遊技者が会員遊技者でイベント非対象者である場合には、前記サブメニュー表示域５０３にイベント非対象者（会員）に対応して表示されている表示色にて表示され、セルが対応するパチンコ機２において遊技をしている遊技者がイベント非対象者（ビジター）である場合には、前記サブメニュー表示域５０３にイベント非対象者（ビジター）に対応して表示されている表示色にて表示され、セルが対応するパチンコ機２が非稼働である場合には、前記サブメニュー表示域５０３に空台対応して表示されている表示色にて表示されるようになっている。
【００５８】
このように、イベント状況表示画面において、遊技場内に設置されたパチンコ機２の配置状況であるレイアウトを表示するとともに、該レイアウト表示された個々のパチンコ機２を示すセルの表示色を、そのパチンコ２で遊技を実施している遊技者が該当する対象者種別（イベント対象者、イベント非対象者（会員）、イベント非対象者（ビジター）、空台）に対応する表示色にて表示することは、遊技場内におけるイベント対象者やイベント非対象者（会員）、イベント非対象者（ビジター）、空台の存在状況一見にて、迅速かつ感覚的に把握することができることから好ましいが、本発明はこれに限定されるものではなく、これらの表示をイベント対象者やイベント非対象者（会員）、イベント非対象者（ビジター）の存在するパチンコ機の台番号等を表示することで、イベント対象者やイベント非対象者（会員）、イベント非対象者（ビジター）の存在状況を示すようにしても良く、これらの表示形態等は適宜に選択すれば良い。
【００５９】
また、本実施例においては、サブメニュー表示域５０３に「詳細」の選択入力部が設けられており、現時点での詳細なイベント対象者やイベント非対象者（会員）、イベント非対象者（ビジター）の存在状況を把握したい場合には、該「詳細」の選択入力部を選択入力することで、図１０に示す詳細表示画面が表示される。
【００６０】
この図１０に示す詳細表示画面には、全体のイベント対象者数やイベント非対象者数、並びに各々の比率が表示されるとともに、前記台データベースに登録されている各機種毎に、イベント対象者数やイベント非対象者数、並びに各々の比率が集計、算出されて個別に表示されるようになっている。
【００６１】
また、各イベント非対象者数の表示内には、該イベント非対象者数を構成するイベント非対象者（会員）とイベント非対象者（ビジター）の各人数と、これら各人数がイベント非対象者数に占める比率とが算出、表示されるようになっている。
【００６２】
更に、本実施例の詳細表示画面のサブメニュー表示域５０３には、図１０に示すように、その時点で表示されている「詳細表示」とともに、「推移表示」のサブメニューが表示されており、該「推移表示」のサブメニューを選択入力することで、図１１に示すイベント対象者来店状況推移表示画面が表示される。
【００６３】
この図１１に示すイベント対象者来店状況推移表示画面には、前記比率推移テーブル（図７参照）に登録されている各時間間隔毎のイベント対象者数のデータに基づいて、横軸（Ｘ軸）を営業時間の時間軸とし、縦軸（Ｙ軸）を人数としたグラフが作成されて表示されるようになっており、イベント対象者数およびイベント非対象者数が営業時間中においてどのように推移したのかを視覚的に把握することができるようになっている。
【００６４】
また、本実施例のイベント対象者来店状況推移表示画面の下方位置には、図１１に示すように、「率表示」の選択入力部と、機種を選択するためのポップアップウインドウと、「機種別」の選択入力部と、「印刷」の選択入力部が設けられている。
【００６５】
まず、前記「率表示」の選択入力部を入力した場合には、図１２に示すイベント対象者来店状況推移表示画面に切り替わり、イベント対象者数が全遊技者数に占める割合（％）の推移グラフが表示されるようになっており、前記図１１のイベント対象者来店状況推移表示画面に戻るには、画面下部に設けられている「人数表示」の選択入力部を選択すれば良く、また、図１０の詳細表示画面に戻る場合には、画面上部に設けられている「戻る」の選択入力部を選択する。
【００６６】
また、各機種毎のイベント対象者の来店状況推移を把握したい場合には、図１１のイベント対象者来店状況推移表示画面の下方位置に設けられている機種を選択するためのポップアップウインドウから、所望する機種を選択して表示させた後に、前記「機種別」の選択入力部を選択入力することで、前記比率推移テーブルに登録されている選択された機種のデータに基づいて、図１３に示すように、該選択した機種におけるイベント対象者数とイベント非対象者数の推移グラフが表示されるようになっている。
【００６７】
尚、図１３に示す各機種別のイベント対象者来店状況推移表示画面の下方位置にも、「率表示」の選択入力部が設けられており、該「率表示」を選択入力することで、図１２に示す全体の率表示の場合と同様に、各機種別の率表示画面が表示されるようになっている。
【００６８】
以上説明したように、本実施例の遊技用システムによれば、イベントの開催中にあっても、現在遊技中のイベント（催事）対象者数とイベント（催事）非対象者数並びにイベント（催事）対象者とイベント（催事）非対象者との比率が、ＣＰＵ１２２が前記集計・算出手段として機能することで、該ＣＰＵ１２２により集計、算出されて前記出力手段である表示装置１２７にて出力されるようになるため、イベント（催事）の効果として、現在遊技中のイベント（催事）対象者数とイベント（催事）非対象者数並びにイベント（催事）対象者とイベント（催事）非対象者との比率をリアルタイムに把握することができ、例えば、イベント（催事）対象者の割合が低いような場合には、追加イベントの実施を検討する等の迅速な対応が可能となる。
【００６９】
前記実施例における各要素は、本発明に対して以下のように対応している。
本発明の請求項１は、遊技者を個別に特定可能な遊技者特定情報（会員ＩＤ）に対応付けて該遊技者に関する遊技者関連情報が記憶された遊技者関連情報記憶手段（記憶装置１２５；会員情報テーブル）を有する管理装置（会員管理コンピュータ１２０）と、遊技機（パチンコ機２）に対応して設けられ、前記遊技者特定情報（会員ＩＤ）が記録された記録媒体（会員カード）を受付けて該記録情報の読み出しを行う読み出し手段（カードリーダライタ３２７）と、該読み出し手段（カードリーダライタ３２７）により読み出された前記遊技者特定情報（会員ＩＤ）を前記管理装置（会員管理コンピュータ１２０）に送信する遊技者特定情報送信手段（通信部３３４）と、対応する前記遊技機（パチンコ機２）において遊技者が遊技中か否かを特定可能な稼働情報を送信する稼働情報送信手段（通信部３３４）と、を備える遊技用装置（カードユニット３）と、から成る遊技用システムにおいて、前記管理装置（会員管理コンピュータ１２０）は、催事対象者となる条件を設定するための催事対象条件設定手段（ＣＰＵ１２２、イベント対象条件設定画面）と、該催事対象条件設定手段（ＣＰＵ１２２、イベント対象条件設定画面）にて設定された催事対象条件を記憶する催事対象条件記憶手段（記憶装置１２５；イベントテーブル）と、前記遊技者特定情報送信手段（通信部３３４）から送信されてきた前記遊技者特定情報（会員ＩＤ）と前記遊技者関連情報記憶手段（記憶装置１２５；会員情報テーブル）の記憶情報に基づいて、当該遊技者が前記催事対象条件記憶手段（記憶装置１２５；イベントテーブル）に記憶されている催事対象条件を満たしている催事対象者であるか否かを判定する催事対象者判定手段（ＣＰＵ１２２、処理プログラム）と、該催事対象者判定手段（ＣＰＵ１２２、処理プログラム）の判定結果と前記稼働情報送信手段（通信部３３４）から送信されてきた稼働情報とに基づいて、現在遊技中の催事対象者数と催事非対象者数の比率を特定可能な情報を集計および／または算出する集計・算出手段（ＣＰＵ１２２、処理プログラム）と、該集計・算出手段（ＣＰＵ１２２、処理プログラム）による集計および／または算出結果を出力する出力手段（表示装置１２７）と、を備える。
【００７０】
本発明の請求項２は、前記管理装置（会員管理コンピュータ１２０）は、前記遊技者関連情報記憶手段（記憶装置１２５；会員情報テーブル）に記憶されている遊技者特定情報（会員ＩＤ）の遊技者を会員遊技者と判定する会員遊技者判定手段（ＣＰＵ１２２、処理プログラム）を備え、前記集計・算出手段（ＣＰＵ１２２、処理プログラム）は、前記会員遊技者判定手段（ＣＰＵ１２２、処理プログラム）の判定結果に基づいて、前記催事非対象者に占める会員遊技者数と非会員遊技者数の比率を特定可能な情報を集計および／または算出する。
【００７１】
本発明の請求項３は、前記遊技用装置（カードユニット３）は、該遊技用装置（カードユニット３）を個別に特定可能な識別情報（装置ＩＤ）を送信するための識別情報送信手段（通信部３３４）を備え、前記管理装置（会員管理コンピュータ１２０）は、各遊技用装置（カードユニット３）の前記識別情報（装置ＩＤ）に対応付けて当該遊技用装置（カードユニット３）が対応する遊技機（パチンコ機２）の機種を特定可能な情報を記憶するための遊技用装置情報記憶手段（台データベース）を備え、前記集計・算出手段（ＣＰＵ１２２、処理プログラム）は、前記識別情報送信手段（通信部３３４）から送信されてきた識別情報（装置ＩＤ）と前記遊技用装置情報記憶手段（台データベース）の記憶情報とから特定される各遊技者が遊技中の遊技機（パチンコ機２）の機種に基づいて、各機種毎に催事対象者数を集計する。
【００７２】
本発明の請求項４は、前記集計・算出手段（ＣＰＵ１２２、処理プログラム）は、前記識別情報送信手段（通信部３３４）から送信されてきた識別情報（装置ＩＤ）と前記遊技用装置情報記憶手段（台データベース）の記憶情報とから特定される各遊技者が遊技中の遊技機（パチンコ機２）の機種に基づいて、各機種毎に催事対象者数と催事非対象者数の比率を特定可能な情報を集計および／または算出する。
【００７３】
本発明の請求項５は、前記出力手段（表示装置１２７）は、遊技場内に設置された遊技機（パチンコ機２）の配置状況を表示するとともに、該配置画面上に、各遊技機（パチンコ機２）が非稼働中であるか、催事対象者が遊技中であるか、催事非対象者が遊技中であるかを識別可能に表示する。
【００７４】
本発明の請求項６は、前記管理装置（会員管理コンピュータ１２０）は、前記集計・算出手段（ＣＰＵ１２２、処理プログラム）にて集計および／または算出された催事対象者数と催事非対象者数との比率を特定可能な情報を所定時間毎に記憶する比率推移記憶手段（記憶装置１２５；比率推移テーブル）を備え、前記出力手段（表示装置１２７）は、前記比率推移記憶手段（記憶装置１２５；比率推移テーブル）に記憶された所定時間毎の比率を特定可能な情報に基づく比率推移状況（比率推移グラフ）を出力する。
【００７５】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００７６】
例えば、前記実施例の遊技用システムでは、管理装置である会員管理コンピュータ１２０において、前記イベント非対象者に占める会員遊技者数と非会員遊技者であるビジターの人数の比率を特定可能な情報として、イベント非対象者（会員）とイベント非対象者（ビジター）の人数並びに割合（％）を集計、算出して表示するようにしており、このようにすることは、催事非対象者に占める会員遊技者数と非会員遊技者数並びに会員遊技者と非会員遊技者との比率をリアルタイムに把握でき、これにより、例えば、イベント非対象者に占める会員遊技者の比率が高ければ、イベント対象条件の緩和を検討する等の迅速な対応が可能となることから好ましいが、本発明はこれに限定されるものではなく、これらイベント非対象者に占める会員遊技者数と非会員遊技者であるビジターの人数の比率を特定可能な情報の集計、算出並びに表示を行わない構成としても良い。
【００７７】
また、前記実施例の遊技用システムでは、遊技用装置である各カードユニット３に識別情報である装置ＩＤを割り当て、会員管理コンピュータ１２０の台データベースに各カードユニット３が対応する遊技機であるパチンコ機２の機種を登録しておくことで、各機種毎にイベント対象者やイベント非対象者の数や両者の比率を集計、算出できるようにしており、このようにすることは、機種毎のイベント対象者数等の情報をリアルタイムに把握することができ、これにより、たとえば、イベント対象者数が少ない或いはイベント対象者の比率が低い機種に追加のイベントを検討する等の迅速な対応が可能となることから好ましいが、本発明はこれに限定されるものではなく、これら機種毎のイベント対象者数やイベント対象者とイベント非対象者の比率等の集計、算出並びに表示を行わない構成としても良い。
【００７８】
また、前記実施例の遊技用システムでは、管理装置である会員管理コンピュータ１２０において、図９に示すように、遊技場内に設置された遊技機であるパチンコ機２の配置状況（レイアウト）を表示するとともに、該配置状況の表示画面上に、各遊技機が非稼働中（空台）であるか、イベント対象者が遊技中であるか、イベント非対象者が遊技中であるかを、各色別に表示することで識別可能に表示するようにしており、このようにすることは、遊技場内における催事対象者、催事非対象者の存在状況を一見して把握することができることから好ましいが、本発明はこれに限定されるものではなく、これらの配置状況（レイアウト）表示に基づく表示を行わない構成としても良い。また、前記実施例では、各色別表示にてイベント対象種別の表示を実施しているが、本発明はこれに限定されるものではなく、これらの表示形態等は適宜に選択すれば良い。
【００７９】
また、前記実施例の遊技用システムでは、前記比率推移テーブルに所定時間間隔毎のイベント対象者数やイベント非対象者数のデータ等を順次記憶することで、図１１〜図１３に示すように、イベント対象者数の推移状況やイベント対象者の比率推移状況を推移グラフにて把握できるようにしており、このようにすることは、例えば営業途中や営業終了後に、その時点までのイベント効果を把握し、それ以降のイベント運営の参考とできることから好ましいが、本発明はこれに限定されるものではなく、これらの推移状況の表示を実施しない構成としても良い。
【００８０】
また、前記実施例の遊技用システムでは、遊技用装置としてカードユニット３を適用しているが、本発明はこれに限定されるものではなく、会員管理コンピュータ１２０とデータ通信可能に接続され、会員ＩＤ、カード受付け通知や稼働通知等の各種情報を管理装置に送信できるものであればどのような装置を適用してもよく、例えば、会員に対して情報提供等、種々のサービスを実施するための呼出ランプや再プレイサンド等の会員カード受付装置に適用するようにしても良い。
【００８１】
なお、前記実施例では、会員遊技者の情報を管理する管理装置としての会員管理コンピュータ１２０と、会員カードやビジターカードの管理などを行うシステムコントローラ１００とが別個に設けられているが、本発明はこれに限定されるものではなく、例えば、これらの情報を一元に管理することが出来るようなコンピュータを使用すれば、コンピュータ１台で会員管理と会員カードやビジターカードの管理を行うようにしてもよい。
【００８２】
また、前記カードユニット３は、紙幣挿入口３０２や硬貨投入口３０３から挿入されている会員カードやビジターカードに追加入金が出来るようになっているが、本発明はこれに限定されるものではなく、追加入金できないような構成でも良い。
【００８３】
また、前記カードユニット３には、会員の認証を行うためにテンキー３１５やプレイ選択ボタン３１６、エンターキー３１７が設けられているが、本発明はこれに限定されるものではなく、これら各ボタン等を設けないような構成となっていても良い。
【００８４】
また、前記実施例では、記録媒体（会員カード）として非接触型のＩＣカードを用いているが、本発明はこれに限定されるものではなく、これを磁気カードや接触型のＩＣカードとしても良いし、更には識別符号を用いて記録情報を特定できる場合等には、記録媒体を特定可能な識別符号等の情報を少なくとも読み取り可能に記録できるものであれば良く、例えばバーコード等の所定の情報記録シンボル等が読み取り可能にプリントされた記録媒体等であっても良い。
【００８５】
また、前記実施例に用いた会員カードは、所定の遊技場内においてのみ使用可能とされているが、本発明はこれに限定されるものではなく、複数の遊技場において使用可能とされた共通会員カードとして使用するようにしても良い。
【００８６】
また、前記実施例においては、遊技機の一例としてパチンコ玉を用いて遊技を行う通常のパチンコ機を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のスロットマシン等の遊技機を適用しても良い。
【００８７】
尚、前記実施例においては、全遊技者数、イベント対象者数、イベント非対象者数およびイベント対象者数とイベント非対象者数との比率を集計・算出しているが、必ずしもこれら全てを算出・集計するのではなく、少なくともイベント対象者数とイベント非対象者数との比率を特定可能な情報を適宜選択し算出・集計すれば良い。例えば、全遊技者数とイベント対象者数のみでも良いし、イベント対象者の割合のみであっても良い。
【００８８】
また、イベント非対象者に占める会員遊技者数と非会員遊技者数との比率を特定可能な情報に関しても、前記実施例においては、イベント非対象者数、イベント非対象者に占める会員遊技者数および非会員遊技者数、並びにイベント非対象者に占める会員遊技者数および非会員遊技者数との比率を集計・算出しているが、必ずしもこれら全てを算出・集計するのではなく、少なくともイベント非対象者に占める会員遊技者数および非会員遊技者数との比率を特定可能な情報を適宜選択し算出・集計すれば良い。例えば、イベント非対象者数とイベント非対象者に占める会員遊技者数のみであっても良いし、イベント非対象者に占める会員遊技者の割合のみであっても良い。
【００８９】
【発明の効果】
本発明は次の効果を奏する。
（ａ）請求項１の発明によれば、催事の開催中にあっても、現在遊技中の催事対象者数と催事非対象者数との比率が、前記集計・算出手段により集計および／または算出されて前記出力手段にて出力されるようになるため、催事の効果として、現在遊技中の催事対象者数と催事非対象者数との比率をリアルタイムに把握することができ、例えば、催事対象者の割合が低いような場合には、追加イベントの実施を検討する等の迅速な対応が可能となる。
【００９０】
（ｂ）請求項２の発明によれば、催事非対象者に占める会員遊技者数と非会員遊技者数との比率をリアルタイムに把握できる。
【００９１】
（ｃ）請求項３の発明によれば、機種毎の催事対象者数をリアルタイムに把握することができる。
【００９２】
（ｄ）請求項４の発明によれば、機種毎の催事対象者数と催事非対象者数との比率をリアルタイムに把握することができる。
【００９３】
（ｅ）請求項５の発明によれば、遊技場内における催事対象者、催事非対象者の存在状況を一見して把握することができる。
【００９４】
（ｆ）請求項６の発明によれば、現時点での催事対象者と催事非対象者との比率のみならず、過去からの催事対象者と催事非対象者との比率の推移状況を簡便に把握することができる。
【図面の簡単な説明】
【図１】本発明の実施例における管理装置としての会員管理コンピュータが適用された遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例における会員管理コンピュータの構成を示すブロック図である。
【図５】（ａ）、本発明の実施例に用いた会員管理コンピュータのイベントＤＢを構成する会員情報テーブル、（ｂ）は、イベントＤＢを構成するイベントテーブルの登録状況を示す図である。
【図６】本発明の実施例に用いた会員管理コンピュータの台データベースの登録状況を示す図である。
【図７】本発明の実施例に用いた会員管理コンピュータの比率推移テーブルの登録状況を示す図である。
【図８】本発明の実施例に用いた会員管理コンピュータに表示されるイベント設定画面を示す図である。
【図９】本発明の実施例に用いた会員管理コンピュータに表示されるイベント実施状況を示す図である。
【図１０】本発明の実施例に用いた会員管理コンピュータに表示される詳細表示画面を示す図である。
【図１１】本発明の実施例に用いた会員管理コンピュータに表示されるイベント対象者来店状況推移表示画面（人数表示）を示す図である。
【図１２】本発明の実施例に用いた会員管理コンピュータに表示されるイベント対象者来店状況推移表示画面（率表示）を示す図である。
【図１３】本発明の実施例に用いた会員管理コンピュータに表示される機種別のイベント対象者来店状況推移表示画面（人数表示）を示す図である。
【図１４】本発明の実施例に用いたカードユニットから会員管理コンピュータに対して送信される情報を示す図である。
【符号の説明】
２        カードリーダ式パチンコ機
３        カードユニット
１００    システムコントローラ
１２０    会員管理コンピュータ
１２２    ＣＰＵ
１２５    記憶装置
１２６    入力装置
１２７    表示装置
３２７    カードリーダライタ
３２８    制御ユニット
３３４    通信部
【図１】
2004222856.tif 000003
【図２】
2004222856.tif 000004
【図３】
2004222856.tif 000005
【図４】
2004222856.tif 000006
【図５】
2004222856.tif 000007
【図６】
2004222856.tif 000008
【図７】
2004222856.tif 000009
【図８】
2004222856.tif 000010
【図９】
2004222856.tif 000011
【図１０】
2004222856.tif 000012
【図１１】
2004222856.tif 000013
【図１２】
2004222856.tif 000014
【図１３】
2004222856.tif 000015
【図１４】
2004222856.tif 000016